(57)【要約】【課題】  調理部とキッチン部とシンク部とを備えるキッチンカウンターにおいて、調理部とキッチンカウンター部との上面高さが異なっていても、一体感のあるキッチンカウンターを提供する。【解決手段】  調理設備を備えた調理部１と、調理部１と上面高さの異なるテーブル部２と、シンク部３を備えてなるキッチンカウンターにおいて、調理部１とテーブル部２とをシンク部３を介して連続して設けており、更に、調理部１及びテーブル部２が、シンク部３を介し平面視略一直線に連続して設けられ、調理部１からテーブル部２にわたってその上面に、同一素材で一体の天板４を設け、シンク部３の側面の、調理部１もしくはテーブル部２の上面高さが高い側にカラン５を設けている。【選択図】図２
2006296973.tif 000002
【特許請求の範囲】
【請求項１】
調理設備を備えた調理部と、調理部と上面高さの異なるテーブル部と、シンク部を備えてなるキッチンカウンターにおいて、調理部とテーブル部とをシンク部を介して連続して設けたことを特徴とするキッチンカウンター。
【請求項２】
調理部及びテーブル部が、シンク部を介し平面視略一直線に連続して設けられ、調理部からテーブル部にわたってその上面に、同一素材で一体の天板を設けたことを特徴とする請求項１記載のキッチンカウンター。
【請求項３】
シンク部の内側面の、調理部もしくはテーブル部の上面高さが高い側にカランを設けたことを特徴とする請求項１又は２記載のキッチンカウンター。
【発明の詳細な説明】
【技術分野】
【０００１】
本願発明は、調理設備を備えた調理部と、テーブル部と、シンク部とを設けたキッチンカウンターに関する。
【背景技術】
【０００２】
従来から、調理設備を備えた調理部と、食事を行うテーブル部とを備えたキッチンカウンターは知られている。例えば、特開平５−２７７０１４号公報には、調理部とテーブル部とが連結されたキッチンカウンターが開示されている。このキッチンカウンターにおいては、調理部とテーブル部とが連結されているため、調理部で調理された料理をテーブル部に容易に運ぶことができる。このキッチンカウンターにおいては、調理部とテーブル部との上面高さが一致しており見栄えがよい。しかしながら、一般的に調理部では調理を立って行い、テーブル部では椅子などに座って食事をとるため、調理部及びテーブル部の上面高さはそれぞれの作業のしやすい高さにあわせるべきである。ところが、高さの異なる調理部とテーブル部とを連結する場合段差が生じ、一体感がないために見栄えが悪く、又、段差部分の化粧を行うためには手間がかかるという問題があった。
【特許文献１】特開平５−２７７０１４号公報
【発明の開示】
【発明が解決しようとする課題】
【０００３】
本願発明は、調理部とテーブル部とシンク部とを備えるキッチンカウンターにおいて、調理部とテーブル部との上面高さが異なっていても、一体感のあるキッチンカウンターを提供することである。
【課題を解決するための手段】
【０００４】
上記課題を解決するために、本願発明は、調理設備を備えた調理部と、調理部と上面高さの異なるテーブル部と、シンク部を備えてなるキッチンカウンターにおいて、調理部とテーブル部とをシンク部を介し連続して設けたことを特徴とするキッチンカウンターである。
【発明の効果】
【０００５】
本願発明のキッチンカウンターにおいては、上面高さの異なる調理部とテーブル部とをシンク部を介して連続して設けているため、調理部とテーブル部との段差がシンク部によって吸収され、段差が目立ちにくく、一体感のあるキッチンカウンターとなる。
【発明を実施するための最良の形態】
【０００６】
図１及び図２は、本願の請求項１〜３全てに対応した一実施形態であるキッチンカウンターを示している。この実施形態のキッチンカウンターは、図１及び図２に示す如く、調理設備を備えた調理部１と、調理部１と上面高さの異なるテーブル部２と、シンク部３を備えてなるキッチンカウンターにおいて、調理部１とテーブル部２とをシンク部３を介して連続して設けている。
【０００７】
又、調理部１及びテーブル部２が、シンク部３を介し平面視略一直線に連続して設けられ、調理部１からテーブル部２にわたってその上面に、同一素材で一体の天板４を設けている。
【０００８】
又、シンク部３の内側面の、調理部１もしくはテーブル部２の上面高さが高い側の側面にカラン５を設けている。
【０００９】
以下、この実施形態のキッチンカウンターを、より具体的詳細に説明する。この実施形態のキッチンカウンターは、図１及び図２に示す如く、調理部１、テーブル部２及びシンク部３からなっている。この場合、調理部１とテーブル部２とはシンク部３を介して連続してつながっている。
【００１０】
調理部１は略箱型の調理部本体６が四隅に設けられた調理部脚７aで支持されている。そして、その上面は調理部天板４ａが形成され、その上には、コンロや電磁調理機器などの調理器具８と調理を行うための作業スペース９が設けられており、調理部本体６の内部は収納スペース１０となっている。この調理部１は、作業者が立って調理がしやすいように、床（Ｆ）からの上面高さ（Ｈ1）が約８５０ｍｍに設定されている。
【００１１】
又、テーブル部２はテーブル部天板４ｂが、その四隅に設けられたテーブル部脚７ｂで椅子に座って食事がしやすいように、その上面高さ（Ｈ2）を床から約７００ｍｍに設定している。
【００１２】
又、シンク部３は略箱型のシンク支持体１１の上にシンク１２が設けられており、シンク部３の調理部側側面１３a及びテーブル部側側面１３ｂの高さはそれぞれ、調理部１及びテーブル部２の上面高さにそろえている。この場合、テーブル部２よりも調理部１のほうが高いため、テーブル部側側面１３ｂよりも調理部側側面１３aの方が高くなっている。このシンク１２の深さは、低いほうの上面、この場合テーブル部２の上面からの深さ（D）が約２００ｍｍとなっている。又、シンク１２の調理部側側面１３a及びテーブル部側側面１３ｂは、シンク１２の内側に向かって傾斜している。
【００１３】
又、シンク部３の調理部１もしくはテーブル部２の上面高さの高い側、この場合、調理部１側の調理部側側面１３aにはカラン５が設けられ、このカラン５は、テーブル部２の上面高さよりも高い位置に設けられている。従って、シンク１２に水を張っても、カラン５は水につかることがない。又、この場合、このカラン５は、両側から作業できるように２つ設けている。このとき、シンク支持体１１は、シンク１２の下方から調理部１の下方の一部まで至っており、その内部は収納スペースであると共に、水道などの配管スペースになっている。又、シンク１２には排水口１４が設けられており、排水口１４から始まる排水管もこの配管スペースに収まっている。
【００１４】
又、調理部１からシンク部３及びテーブル部２まで同一部材で一体の天板４を設けて、上面を形成している。つまり、調理部天板４a、シンク１２の上面及びテーブル部天板４ｂが一体となっている。このときこの天板４の素材としては、アルミやステンレスのような金属板、もしくは人工大理石のような樹脂板が挙げられる。このとき、シンク１２の内面側や外側面側は別部材でもよく、上面側が一体になっていれば良い。又、調理部天板４ａの調理器具８を設置する部分には孔を設けていても良い。なお、この天板４は、成形時に一体に形成しなくてもよく、いくつかの部分に分けて形成しておき、組み立て時にこれらを接着するなどして連結し、施工後最終的に一体的となっていればよい。例えば、調理部天板４ａと、テーブル部天板４ｂからシンク１２のテーブル部２上面高さまでの２つの部材に分割して形成しておき、施工時に両者を配置し、接合部材を介して両者を連結し、最終的に一体的とすることもできる。
【００１５】
従って、この実施形態のキッチンカウンターにおいては、上面高さの異なる調理部１とテーブル部２とをシンク部３を介して連続して設けているため、調理した料理をテーブル部２にすぐに運べ、又、テーブル部２での食事後、食器をすぐ隣のシンク部３に運ぶことができ、片づけしやすい。又、調理部１とテーブル部２との上面高さが異なっていても、その段差がシンク部３の側面の高さを調理部１及びテーブル部２の上面に合わせることで吸収し、段差が目立たたず、一体感のあるキッチンカウンターとなる。
【００１６】
それに加え、シンク部３の調理部側側面１３a及びテーブル部側側面１３ｂの高さをそれぞれ、調理部１及びテーブル部２の上面高さにそろえているため、シンク部３と調理部１もしくはテーブル部２との間に棚や壁などの障害がないため、料理後の調理器具８や食事後の食器などがシンク１２に運びやすく、非常に便利である。
【００１７】
又、調理部１及びテーブル部２が、シンク部３を介し平面視略一直線に連続して設けられ、調理部１からテーブル部２にわたってその上面に、同一素材で一体の天板４を設けているため、天板４の成形が１つの金型での一体成形が可能である。又、調理部１、シンク部３及びテーブル部２での作業が、両側から行うことができるようになる。
【００１８】
又、シンク部３の調理部１もしくはテーブル部２の上面高さが高い側の側面にカラン５を設けているため、シンク部３のキッチンカウンターの前後両側から作業ができる。それに加え、カラン５を上面高さが高い側の側面に設けているため、カラン５からシンク１２底面までの深さが十分にとれ、作業しやすくなる。
【００１９】
又、このカラン５は、テーブル部２の上面高さよりも高い位置に設けられているため、食器の洗浄時など、シンク１２に水を張って作業しても、水につかることがなく、作業しやすい。
【００２０】
又、この場合、シンク支持体１１を調理部１側に設けているため、調理部側側面１３aに設けたカラン５の配管を収納することができ、それに加え、テーブル部２の下部を広くとれるため、椅子に座ったときに脚が伸ばしやすく、無理な姿勢をすることなく、ゆったり食事ができる。
【００２１】
なお、上記実施形態においては調理部１とテーブル部２とをシンク部３を介して一直線に配置しているが、本願発明はこれに限定されるものではなく、例えば、調理部１とテーブル部２とをシンク部３を介して平面視略T字状もしくは略L字状に配置してもよい。
【００２２】
又、調理部１とシンク部３との上面高さは、必ずしも調理部１の方を高くしなくてもよく、例えばバーカウンターのように高い椅子を用いるときには、調理部１よりもテーブル部２側の上面を高く設けてもよい。
【図面の簡単な説明】
【００２３】
【図１】本願発明の一実施形態であるキッチンカウンターを示す斜視図。
【図２】同キッチンカウンターにおける側面図。
【符号の説明】
【００２４】
１    調理部
２    テーブル部
３    シンク部
４    天板
４ａ  調理部天板
４ｂ  テーブル部天板
５    カラン
６    調理部本体
７ａ  調理部脚
７ｂ  テーブル部脚
８    調理器具
９    作業スペース
10    収納スペース
11    シンク支持体
12    シンク
13ａ  調理部側側面
13ｂ  テーブル部側側面
14    排水口
【図１】
2006296973.tif 000003
【図２】
2006296973.tif 000004